【手続補正書】
【提出日】平成27年9月16日(2015.9.16)
【手続補正１】
【補正対象書類名】特許請求の範囲
【補正対象項目名】全文
【補正方法】変更
【補正の内容】
【特許請求の範囲】
【請求項１】
表示部を有する端末装置に広告表示プログラムのデータを配信するプログラム配信手段を備え、
前記広告表示プログラムは、
広告配信装置から広告情報を取得する取得手段、
前記広告情報の表示位置が所定位置に設定されて情報配信装置から配信されたページであって前記表示部に表示されるページのスクロール状態を検出する検出手段、
前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する表示制御手段、として前記端末装置を機能させ、
前記表示制御手段は、
前記ページがスクロール中であっても、前記表示部の所定表示位置に前記広告情報を表示してから所定時間経過後に、前記広告情報の表示位置を前記ページの前記所定位置に設定し、
前記ページのスクロール速度に応じて前記所定時間を変更する
ことを特徴とする広告表示制御装置。
【請求項２】
表示部を有する端末装置に広告表示プログラムのデータを配信するプログラム配信手段を備え、
前記広告表示プログラムは、
広告配信装置から広告情報を取得する取得手段、
前記広告情報の表示位置が所定位置に設定されて情報配信装置から配信されたページであって前記表示部に表示されるページのスクロール状態を検出する検出手段、
前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する表示制御手段、として前記端末装置を機能させ、
前記表示制御手段は、
前記広告情報の初期表示位置を前記表示部の所定表示位置に設定した後、前記表示部の所定表示位置から前記ページの前記所定位置へ前記広告情報の表示位置を変更する場合に、前記表示部において前記広告情報の表示位置を前記所定表示位置から所定方向に移動させた後、前記広告情報の表示位置を前記ページの前記所定位置へ変更する
ことを特徴とする広告表示制御装置。
【請求項３】
表示部を有する端末装置に広告表示プログラムのデータを配信するプログラム配信手段を備え、
前記広告表示プログラムは、
広告配信装置から広告情報を取得する取得手段、
前記広告情報の表示位置が所定位置に設定されて情報配信装置から配信されたページであって前記表示部に表示されるページのスクロール状態を検出する検出手段、
前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する表示制御手段、として前記端末装置を機能させ、
前記表示制御手段は、
前記ページがスクロール中である場合、前記ページのスクロール速度に応じた表示態様で前記広告情報を前記表示部の所定表示位置に表示し、
前記表示態様は、色、形、大きさおよび透過度のうち少なくとも一つを含む
ことを特徴とする広告表示制御装置。
【請求項４】
表示部を有する端末装置に広告表示プログラムのデータを配信するプログラム配信手段を備え、
前記広告表示プログラムは、
広告配信装置から広告情報を取得する取得手段、
前記広告情報の表示位置が所定位置に設定されて情報配信装置から配信されたページであって前記表示部に表示されるページのスクロール状態を検出する検出手段、
前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する表示制御手段、として前記端末装置を機能させ、
前記表示制御手段は、
前記ページのスクロール速度が所定閾値以上であり、かつ、前記取得手段によって取得される広告情報が複数である場合、当該複数の広告情報をそれぞれ前記表示部の異なる所定表示位置に同時に表示させる
ことを特徴とする広告表示制御装置。
【請求項５】
表示部を有する端末装置に広告表示プログラムのデータを配信するプログラム配信手段を備え、
前記広告表示プログラムは、
広告配信装置から広告情報を取得する取得手段、
前記広告情報の表示位置が所定位置に設定されて情報配信装置から配信されたページであって前記表示部に表示されるページのスクロール状態を検出する検出手段、
前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する表示制御手段、として前記端末装置を機能させ、
前記表示制御手段は、
前記ページのスクロール速度が所定閾値未満であり、かつ、前記取得手段によって取得される広告情報が複数である場合、当該複数の広告情報を前記表示部の所定表示位置に順次表示させる
ことを特徴とする広告表示制御装置。
【請求項６】
表示部と、
広告配信装置から広告情報を取得する取得部と、
前記広告情報の表示位置が所定位置に設定されて情報配信装置から配信されたページであって前記表示部に表示されるページのスクロール状態を検出する検出部と、
前記ページがスクロール中でない場合、前記取得部で取得された広告情報の初期表示位置を前記ページの所定位置に設定し、前記ページがスクロール中である場合、前記取得部で取得された広告情報の初期表示位置を前記表示部の所定表示位置に設定する表示制御部と、を備え、
前記表示制御部は、
前記ページがスクロール中であっても、前記表示部の所定表示位置に前記広告情報を表示してから所定時間経過後に、前記広告情報の表示位置を前記ページの前記所定位置に設定し、
前記ページのスクロール速度に応じて前記所定時間を変更する
ことを特徴とする端末装置。
【請求項７】
表示部と、
広告配信装置から広告情報を取得する取得部と、
前記広告情報の表示位置が所定位置に設定されて情報配信装置から配信されたページであって前記表示部に表示されるページのスクロール状態を検出する検出部と、
前記ページがスクロール中でない場合、前記取得部で取得された広告情報の初期表示位置を前記ページの所定位置に設定し、前記ページがスクロール中である場合、前記取得部で取得された広告情報の初期表示位置を前記表示部の所定表示位置に設定する表示制御部と、を備え、
前記表示制御部は、
前記広告情報の初期表示位置を前記表示部の所定表示位置に設定した後、前記表示部の所定表示位置から前記ページの前記所定位置へ前記広告情報の表示位置を変更する場合に、前記表示部において前記広告情報の表示位置を前記所定表示位置から所定方向に移動させた後、前記広告情報の表示位置を前記ページの前記所定位置へ変更する
ことを特徴とする端末装置。
【請求項８】
表示部と、
広告配信装置から広告情報を取得する取得部と、
前記広告情報の表示位置が所定位置に設定されて情報配信装置から配信されたページであって前記表示部に表示されるページのスクロール状態を検出する検出部と、
前記ページがスクロール中でない場合、前記取得部で取得された広告情報の初期表示位置を前記ページの所定位置に設定し、前記ページがスクロール中である場合、前記取得部で取得された広告情報の初期表示位置を前記表示部の所定表示位置に設定する表示制御部と、を備え、
前記表示制御部は、
前記ページがスクロール中である場合、前記ページのスクロール速度に応じた表示態様で前記広告情報を前記表示部の所定表示位置に表示し、
前記表示態様は、色、形、大きさおよび透過度のうち少なくとも一つを含む
ことを特徴とする端末装置。
【請求項９】
表示部と、
広告配信装置から広告情報を取得する取得部と、
前記広告情報の表示位置が所定位置に設定されて情報配信装置から配信されたページであって前記表示部に表示されるページのスクロール状態を検出する検出部と、
前記ページがスクロール中でない場合、前記取得部で取得された広告情報の初期表示位置を前記ページの所定位置に設定し、前記ページがスクロール中である場合、前記取得部で取得された広告情報の初期表示位置を前記表示部の所定表示位置に設定する表示制御部と、を備え、
前記表示制御部は、
前記ページのスクロール速度が所定閾値以上であり、かつ、前記取得部によって取得される広告情報が複数である場合、当該複数の広告情報をそれぞれ前記表示部の異なる所定表示位置に同時に表示させる
ことを特徴とする端末装置。
【請求項１０】
表示部と、
広告配信装置から広告情報を取得する取得部と、
前記広告情報の表示位置が所定位置に設定されて情報配信装置から配信されたページであって前記表示部に表示されるページのスクロール状態を検出する検出部と、
前記ページがスクロール中でない場合、前記取得部で取得された広告情報の初期表示位置を前記ページの所定位置に設定し、前記ページがスクロール中である場合、前記取得部で取得された広告情報の初期表示位置を前記表示部の所定表示位置に設定する表示制御部と、を備え、
前記表示制御部は、
前記ページのスクロール速度が所定閾値未満であり、かつ、前記取得部によって取得される広告情報が複数である場合、当該複数の広告情報を前記表示部の所定表示位置に順次表示させる
ことを特徴とする端末装置。
【請求項１１】
コンピュータが実行する広告表示方法であって、
広告配信装置から広告情報を取得する取得工程と、
前記広告情報の表示位置が所定位置に設定されて情報配信装置から配信されたページであって表示部に表示されるページのスクロール状態を検出する検出工程と、
前記ページがスクロール中でない場合、前記取得工程で取得された広告情報の初期表示位置を前記ページの所定位置に設定し、前記ページがスクロール中である場合、前記取得工程で取得された広告情報の初期表示位置を前記表示部の所定表示位置に設定する表示制御工程と、を含み、
前記表示制御工程は、
前記ページがスクロール中であっても、前記表示部の所定表示位置に前記広告情報を表示してから所定時間経過後に、前記広告情報の表示位置を前記ページの前記所定位置に設定し、
前記ページのスクロール速度に応じて前記所定時間を変更する
ことを特徴とする広告表示方法。
【請求項１２】
コンピュータが実行する広告表示方法であって、
広告配信装置から広告情報を取得する取得工程と、
前記広告情報の表示位置が所定位置に設定されて情報配信装置から配信されたページであって表示部に表示されるページのスクロール状態を検出する検出工程と、
前記ページがスクロール中でない場合、前記取得工程で取得された広告情報の初期表示位置を前記ページの所定位置に設定し、前記ページがスクロール中である場合、前記取得工程で取得された広告情報の初期表示位置を前記表示部の所定表示位置に設定する表示制御工程と、を含み、
前記表示制御工程は、
前記広告情報の初期表示位置を前記表示部の所定表示位置に設定した後、前記表示部の所定表示位置から前記ページの前記所定位置へ前記広告情報の表示位置を変更する場合に、前記表示部において前記広告情報の表示位置を前記所定表示位置から所定方向に移動させた後、前記広告情報の表示位置を前記ページの前記所定位置へ変更する
ことを特徴とする広告表示方法。
【請求項１３】
コンピュータが実行する広告表示方法であって、
広告配信装置から広告情報を取得する取得工程と、
前記広告情報の表示位置が所定位置に設定されて情報配信装置から配信されたページであって表示部に表示されるページのスクロール状態を検出する検出工程と、
前記ページがスクロール中でない場合、前記取得工程で取得された広告情報の初期表示位置を前記ページの所定位置に設定し、前記ページがスクロール中である場合、前記取得工程で取得された広告情報の初期表示位置を前記表示部の所定表示位置に設定する表示制御工程と、を含み、
前記表示制御工程は、
前記ページがスクロール中である場合、前記ページのスクロール速度に応じた表示態様で前記広告情報を前記表示部の所定表示位置に表示し、
前記表示態様は、色、形、大きさおよび透過度のうち少なくとも一つを含む
ことを特徴とする広告表示方法。
【請求項１４】
コンピュータが実行する広告表示方法であって、
広告配信装置から広告情報を取得する取得工程と、
前記広告情報の表示位置が所定位置に設定されて情報配信装置から配信されたページであって表示部に表示されるページのスクロール状態を検出する検出工程と、
前記ページがスクロール中でない場合、前記取得工程で取得された広告情報の初期表示位置を前記ページの所定位置に設定し、前記ページがスクロール中である場合、前記取得工程で取得された広告情報の初期表示位置を前記表示部の所定表示位置に設定する表示制御工程と、を含み、
前記表示制御工程は、
前記ページのスクロール速度が所定閾値以上であり、かつ、前記取得工程によって取得される広告情報が複数である場合、当該複数の広告情報をそれぞれ前記表示部の異なる所定表示位置に同時に表示させる
ことを特徴とする広告表示方法。
【請求項１５】
コンピュータが実行する広告表示方法であって、
広告配信装置から広告情報を取得する取得工程と、
前記広告情報の表示位置が所定位置に設定されて情報配信装置から配信されたページであって表示部に表示されるページのスクロール状態を検出する検出工程と、
前記ページがスクロール中でない場合、前記取得工程で取得された広告情報の初期表示位置を前記ページの所定位置に設定し、前記ページがスクロール中である場合、前記取得工程で取得された広告情報の初期表示位置を前記表示部の所定表示位置に設定する表示制御工程と、を含み、
前記表示制御工程は、
前記ページのスクロール速度が所定閾値未満であり、かつ、前記取得工程によって取得される広告情報が複数である場合、当該複数の広告情報を前記表示部の所定表示位置に順次表示させる
ことを特徴とする広告表示方法。
【請求項１６】
広告配信装置から広告情報を取得する取得手順と、
前記広告情報の表示位置が所定位置に設定されて情報配信装置から配信されたページであって表示部に表示されるページのスクロール状態を検出する検出手順と、
前記ページがスクロール中でない場合、前記取得手順で取得された広告情報の初期表示位置を前記ページの所定位置に設定し、前記ページがスクロール中である場合、前記取得手順で取得された広告情報の初期表示位置を前記表示部の所定表示位置に設定する表示制御手順と、をコンピュータに実行させ、
前記表示制御手順は、
前記ページがスクロール中であっても、前記表示部の所定表示位置に前記広告情報を表示してから所定時間経過後に、前記広告情報の表示位置を前記ページの前記所定位置に設定し、
前記ページのスクロール速度に応じて前記所定時間を変更する
ことを特徴とする広告表示プログラム。
【請求項１７】
広告配信装置から広告情報を取得する取得手順と、
前記広告情報の表示位置が所定位置に設定されて情報配信装置から配信されたページであって表示部に表示されるページのスクロール状態を検出する検出手順と、
前記ページがスクロール中でない場合、前記取得手順で取得された広告情報の初期表示位置を前記ページの所定位置に設定し、前記ページがスクロール中である場合、前記取得手順で取得された広告情報の初期表示位置を前記表示部の所定表示位置に設定する表示制御手順と、をコンピュータに実行させ、
前記表示制御手順は、
前記広告情報の初期表示位置を前記表示部の所定表示位置に設定した後、前記表示部の所定表示位置から前記ページの前記所定位置へ前記広告情報の表示位置を変更する場合に、前記表示部において前記広告情報の表示位置を前記所定表示位置から所定方向に移動させた後、前記広告情報の表示位置を前記ページの前記所定位置へ変更する
ことを特徴とする広告表示プログラム。
【請求項１８】
広告配信装置から広告情報を取得する取得手順と、
前記広告情報の表示位置が所定位置に設定されて情報配信装置から配信されたページであって表示部に表示されるページのスクロール状態を検出する検出手順と、
前記ページがスクロール中でない場合、前記取得手順で取得された広告情報の初期表示位置を前記ページの所定位置に設定し、前記ページがスクロール中である場合、前記取得手順で取得された広告情報の初期表示位置を前記表示部の所定表示位置に設定する表示制御手順と、をコンピュータに実行させ、
前記表示制御手順は、
前記ページがスクロール中である場合、前記ページのスクロール速度に応じた表示態様で前記広告情報を前記表示部の所定表示位置に表示し、
前記表示態様は、色、形、大きさおよび透過度のうち少なくとも一つを含む
ことを特徴とする広告表示プログラム。
【請求項１９】
広告配信装置から広告情報を取得する取得手順と、
前記広告情報の表示位置が所定位置に設定されて情報配信装置から配信されたページであって表示部に表示されるページのスクロール状態を検出する検出手順と、
前記ページがスクロール中でない場合、前記取得手順で取得された広告情報の初期表示位置を前記ページの所定位置に設定し、前記ページがスクロール中である場合、前記取得手順で取得された広告情報の初期表示位置を前記表示部の所定表示位置に設定する表示制御手順と、をコンピュータに実行させ、
前記表示制御手順は、
前記ページのスクロール速度が所定閾値以上であり、かつ、前記取得手順によって取得される広告情報が複数である場合、当該複数の広告情報をそれぞれ前記表示部の異なる所定表示位置に同時に表示させる
ことを特徴とする広告表示プログラム。
【請求項２０】
広告配信装置から広告情報を取得する取得手順と、
前記広告情報の表示位置が所定位置に設定されて情報配信装置から配信されたページであって表示部に表示されるページのスクロール状態を検出する検出手順と、
前記ページがスクロール中でない場合、前記取得手順で取得された広告情報の初期表示位置を前記ページの所定位置に設定し、前記ページがスクロール中である場合、前記取得手順で取得された広告情報の初期表示位置を前記表示部の所定表示位置に設定する表示制御手順と、をコンピュータに実行させ、
前記表示制御手順は、
前記ページのスクロール速度が所定閾値未満であり、かつ、前記取得手順によって取得される広告情報が複数である場合、当該複数の広告情報を前記表示部の所定表示位置に順次表示させる
ことを特徴とする広告表示プログラム。
【手続補正２】
【補正対象書類名】明細書
【補正対象項目名】０００８
【補正方法】変更
【補正の内容】
【０００８】
本願に係る広告表示制御装置は、表示部を有する端末装置に広告表示プログラムを配信するプログラム配信手段を備える。前記広告表示プログラムは、取得手段、検出手段、表示制御手段、として前記端末装置を機能させる。前記取得手段は、広告配信装置から広告情報を取得する。前記検出手段は、前記広告情報の表示位置が所定位置に設定されて情報配信装置から配信されたページであって前記表示部に表示されるページのスクロール状態を検出する。前記表示制御手段は、前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する。前記表示制御手段は、前記ページがスクロール中であっても、前記表示部の所定表示位置に前記広告情報を表示してから所定時間経過後に、前記広告情報の表示位置を前記ページの前記所定位置に設定し、前記ページのスクロール速度に応じて前記所定時間を変更する。
また、本願に係る広告表示制御装置は、表示部を有する端末装置に広告表示プログラムを配信するプログラム配信手段を備える。前記広告表示プログラムは、取得手段、検出手段、表示制御手段、として前記端末装置を機能させる。前記取得手段は、広告配信装置から広告情報を取得する。前記検出手段は、前記広告情報の表示位置が所定位置に設定されて情報配信装置から配信されたページであって前記表示部に表示されるページのスクロール状態を検出する。前記表示制御手段は、前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する。前記表示制御手段は、前記広告情報の初期表示位置を前記表示部の所定表示位置に設定した後、前記表示部の所定表示位置から前記ページの前記所定位置へ前記広告情報の表示位置を変更する場合に、前記表示部において前記広告情報の表示位置を前記所定表示位置から所定方向に移動させた後、前記広告情報の表示位置を前記ページの前記所定位置へ変更する。
また、本願に係る広告表示制御装置は、表示部を有する端末装置に広告表示プログラムを配信するプログラム配信手段を備える。前記広告表示プログラムは、取得手段、検出手段、表示制御手段、として前記端末装置を機能させる。前記取得手段は、広告配信装置から広告情報を取得する。前記検出手段は、前記広告情報の表示位置が所定位置に設定されて情報配信装置から配信されたページであって前記表示部に表示されるページのスクロール状態を検出する。前記表示制御手段は、前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する。前記表示制御手段は、前記ページがスクロール中である場合、前記ページのスクロール速度に応じた表示態様で前記広告情報を前記表示部の所定表示位置に表示し、前記表示態様は、色、形、大きさおよび透過度のうち少なくとも一つを含む。
また、本願に係る広告表示制御装置は、表示部を有する端末装置に広告表示プログラムを配信するプログラム配信手段を備える。前記広告表示プログラムは、取得手段、検出手段、表示制御手段、として前記端末装置を機能させる。前記取得手段は、広告配信装置から広告情報を取得する。前記検出手段は、前記広告情報の表示位置が所定位置に設定されて情報配信装置から配信されたページであって前記表示部に表示されるページのスクロール状態を検出する。前記表示制御手段は、前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する。前記表示制御手段は、前記ページのスクロール速度が所定閾値以上であり、かつ、前記取得手段によって取得される広告情報が複数である場合、当該複数の広告情報をそれぞれ前記表示部の異なる所定表示位置に同時に表示させる。
また、本願に係る広告表示制御装置は、表示部を有する端末装置に広告表示プログラムを配信するプログラム配信手段を備える。前記広告表示プログラムは、取得手段、検出手段、表示制御手段、として前記端末装置を機能させる。前記取得手段は、広告配信装置から広告情報を取得する。前記検出手段は、前記広告情報の表示位置が所定位置に設定されて情報配信装置から配信されたページであって前記表示部に表示されるページのスクロール状態を検出する。前記表示制御手段は、前記ページがスクロール中でない場合、前記取得手段で取得された広告情報の初期表示位置を前記ページの所定位置に設定し、前記ページがスクロール中である場合、前記取得手段で取得された広告情報の初期表示位置を前記表示部の所定表示位置に設定する。前記表示制御手段は、前記ページのスクロール速度が所定閾値未満であり、かつ、前記取得手段によって取得される広告情報が複数である場合、当該複数の広告情報を前記表示部の所定表示位置に順次表示させる。